(57)【要約】【課題】薄くフレキシブルであり簡単に書き換え可能で外部からの継続的なエネルギー供給を必要としない紙媒体代替表示装置を安価に構成する素子構成および該素子の製造方法を提供する．【解決手段】本発明は，磁気的な記録層に記録された磁化のパターンに従って磁気ファラデー機能による偏光面の回転角を変化させ，偏光機能を有する第２の層を透過する光の量が異なる状況を形成しコントラストを発生せしめる．磁気的記録機能を有する層に記録される磁化のパターンとして文字情報等を記録しておけば，該文字の磁化パターンは目視により観察することが可能であり，外部からのエネルギーを必要とせずに自己発光により明瞭に記録パターンを目視認識可能であり，記録の方法が磁気的な記録であることから極めて容易に消去，再記録および高速記録が可能である，紙媒体代替表示装置を得ることを可能とする．【選択図】図１
2005241803.tif 000002
【特許請求の範囲】
【請求項１】
記録の消去・再記録が可能な繰り返し記録消去機能をもち，紙様の形態をもつ表示装置を構成する機能性積層構成体に関するものであり，
磁気的記録機能を有する層，蓄光機能を有する層，偏光機能を有する第１の層，磁気光学効果機能を有する層，偏光機能を有する第２の層を順次重ねて形成した積層構成をもつことを特徴とする紙媒体代替表示装置．
【請求項２】
記録の消去・再記録が可能な繰り返し記録消去機能をもち，紙様の形態をもつ表示装置を構成する機能性積層構成体に関するものであり，
磁気的記録機能を有する層，光を反射する機能を有する層，蓄光機能を有する層，偏光機能を有する第１の層，磁気光学効果機能を有する層，偏光機能を有する第２の層を順次重ねて形成した積層構成をもつことを特徴とする紙媒体代替表示装置．
【請求項３】
記録の消去・再記録が可能な繰り返し記録消去機能をもち，紙様の形態をもつ表示装置を構成する機能性積層構成体に関するものであり，
積層体を保持する基板上に，磁気的記録機能を有する層，光を反射する機能を有する層，蓄光機能を有する層，偏光機能を有する第１の層，磁気光学効果機能を有する層，偏光機能を有する第２の層を順次重ねて形成した積層構成をもつことを特徴とする紙媒体代替表示装置．
【請求項４】
記録の消去・再記録が可能な繰り返し記録消去機能をもち，紙様の形態をもつ表示装置を構成する機能性積層構成体に関するものであり，
磁気的記録機能を有する層として，垂直磁気記録機能を有する層をもつことを特徴とする請求項１〜３記載の紙媒体代替表示装置．
【請求項５】
記録の消去・再記録が可能な繰り返し記録消去機能をもち，紙様の形態をもつ表示装置を構成する機能性積層構成体に関するものであり，
請求項１〜４記載の積層構成をもち，最表面に保護機構を有する層を持つことを特徴とする請求項１〜４記載の紙媒体代替表示装置．
【発明の詳細な説明】
【技術分野】
【０００１】
本発明は，ディスプレイなどの表示装置，及び表示装置に用いる偏光素子に関し、より詳細には、可視光による
磁気光学 効果を利用して情報を可視化する表示装置に関し、また、磁気ペン等を用いて記録が可能であるディスプレイに関し，蓄光機能を有する紙媒体代替能表示装置および表示方法に関する．
【背景技術】
【０００２】
従来反射型表示装置の代表的なものとして液晶を用いたものがあり、偏光子は１枚あるいは２枚用いる構造をもつ．液晶ディスプレイでは、偏光子を通過した直線偏光は、液晶によって９０°偏光面が回転し、次の偏光子を通れなくなって黒くなるか、回転しないで白くなるかによってコントラストを発現させる仕組みとなっている．
【０００３】
しかしながら、液晶を用いて所望の文字や図形を表示しようとするためには、所定のセグメント毎に電極を設ける必要があり、製造におけるプロセスが複雑となり，またディスプレイの構造そのものが複雑かつ高価とならざるを得ない．さらに，大きな面積のものを歩留まり良く生産することは極めて困難であるという問題点がある．
さらに、液晶へ電圧印加が必要なことから厚みが数ｍｍと厚くなるのが一般的であり，表示を行うこと自体にもエネルギーが要求される．
また、上記液晶表示以外の表示装置技術としては、特許文献１などに開示された技術があるが、反射光を用いる構成であり十分なコントラストを得ることが難しいことは否めない．
【特許文献１】特開平５&#8722;７７５４３号公報（第２項，第３項，図１，図２）
【特許文献２】特開平１０&#8212;２１３７８５号公報（第３項から第６項，図１）
【０００４】
特許文献２に消去・再記録可能であるディスプレイ装置として磁気光学機能を応用した例が提案されている．提案された発明では，磁気ヘッドを利用した磁界パターン発生機構を組み込んだ磁気光学特性を巧みに利用した表示装置に関する．
しかし，これらは反射光を用いたものであり，さらに磁気ヘッドアレイを用いているため紙などのようにフレキシブルで極めて簡単な取り扱いが可能である安価な表示装置としては十分な特性を備えていない．
【０００５】
磁気光学機能などを利用した表示装置に関しては，さまざまな提案が行われている．例えばエレクトロルミネッセンスなどの発光機能を利用した表示装置も考案されており，多数の提案がある．
【０００６】
自己発光型の表示装置も提案されているが，紙のようにフレキシブルであり，大きな自由度をもつ安価な大面積表示装置に関する実用的な提案はなされていない．
【発明の開示】
【発明が解決しようとする課題】
【０００７】
ビジネスや社会的な生活において，紙の消費量は膨大である．紙の使用量削減が叫ばれ，様々な代替表示装置の研究が盛んに行われている．事務処理等のビジネスプロセスの電子的処理化が進んでいるが，しかしながら紙の使用量は減るどころか逆に増えてしまった．未だ紙に代わる表示装置は実用に供されていないのが現状である．
紙の使用に関しては，原料生産などについての環境への負荷低減，リサイクル使用などの再生利用，原料の多様化など再生可能資源の利用などの様々な対応が行われている．
【０００８】
しかしながら，いまだ紙媒体のもつ特性を備えるものは発明されていない．紙媒体は安価であり大きな面積の表示が可能であり，外部からエネルギーを必要とせず表示が可能でありかつ表示内容を保持できる．容易に記録，消去が可能であり，フレキシブルである．
【課題を解決するための手段】
【０００９】
請求項１の発明は、磁気的な記録機能を有する層，蓄光機能を有する層，偏光機能を有する第１の層，磁気光学効果機能を有する層，偏光機能を有する第２の層を重ねて形成した積層構成をもつことを特徴とする紙媒体代替表示装置であって、
磁気的な記録層に記録された磁化により発生する磁界が磁気光学効果機能を有する層に作用することにより，蓄光機能を有する層から発生し偏光機能を有する第１の層を通過して直線偏光となった光の偏光面が，前記磁気光学効果機能を有する層を通過することにより回転することを利用し，
磁気的な記録層に記録された磁化のパターンに従って磁気光学効果機能による偏光面の回転が変化し，その結果，偏光機能を有する第２の層を透過する光の量が異なる状況となりコントラストを発生せしめる．
前記磁気的記録機能を有する層に記録される磁化のパターンとして文字情報等を記録しておけば，該文字の磁化パターンは目視により観察することが可能であり，外部からのエネルギーを必要とせずに自己発光により明瞭に記録パターンを目視認識可能であり，
記録の方法が磁気的な記録であることから極めて容易に消去および再記録が可能である，紙媒体代替表示装置を得ることを可能とする． 
【００１０】
請求項２の発明は、請求項１に記載の紙媒体代替表示装置であって、前記蓄光機能を有する層と磁気的記録機能を有する層の間に光を反射する機能を有する層を設けたことを特徴とする請求項１記載の紙媒体代替表示装置であって，
前記蓄光機能を有する層の下部に光を反射する機能を有する層を設けることにより，蓄光機能を有する層から発生した光を磁気的記録機能を有する層とは反体側，すなわち偏光機能を有する層側に集中させることが可能となり，蓄光機能を有する層から発生した光を有効に利用することを可能とする紙媒体代替表示装置を得ることを可能とする．
【００１１】
請求項３の発明は、請求項１もしくは請求項２に記載された紙媒体代替表示装置であって、前記紙媒体代替表示装置を構成する積層体が基材に順次形成されて構成されることを特徴とする請求項１もしくは請求項２記載の紙媒体代替表示装置であって，
前記積層体が紙，ポリエチレン，ポリスチレン，ポリプロピレン，ポリエステル等のフレキシブルなプラスチック基材，ガラス等の基材，金属等の基材などに形成されていることを特徴とする紙媒体代替表示装置を得ることを可能とする． 
【００１２】
請求項４の発明は、請求項１&#12316;３に記載された紙媒体代替表示装置であって，前記磁気記録機能を有する層が垂直磁気記録機能を有することを特徴とする請求項１&#12316;３記載の紙媒体代替表示装置であって，
前記磁気記録機能を有する層が積層体に対して垂直の方向に磁化容易軸を持つような磁気的記録機能を有することを特徴とし，垂直方向に磁気的に磁化することが安定である特性を有することにより磁気光学コントラストをより明瞭に表示することが可能となり，前記文字情報等の磁化パターンを明瞭に目視可能とすることができる紙媒体代替表示装置を得ることを可能とする．
【００１３】
請求項５の発明は、請求項１&#12316;４に記載された紙媒体代替表示装置であって，前記積層体をもつ前記請求項１&#12316;４に記載された紙媒体代替表示装置の表面部分に表面を保護するための保護機能を有する保護層を形成したことを特徴とする紙媒体代替表示装置であって，
前記積層体の表面に保護機能を有する層を設けたことにより本紙媒体代替表示装置の表面を保護し，擦れや引っ掻き等による微細なキズの形成を抑制し，紙媒体代替表示装置の機能を高度に維持することを可能とする紙媒体代替表示装置を得ることを可能とする．
【発明の効果】
【００１４】
本発明により構成される紙媒体代替表示装置では，蓄光機能を有する層から発生した光を偏光機能を有する層により偏光とし，該直線偏光が磁気光学機能を有する層を通過するときに磁気ファラデー効果による直線偏光面の回転効果を受け，さらに偏光機能を有する層により磁気光学機能を有する層により受けた磁気ファラデー効果の大きさに対応した光の透過量に変換し，光のコントラストとして人間の目視により観察可能とする．
【００１５】
前記紙媒体代替表示装置では，前記のように磁気記録されたパターンに従って磁気光学機能を有する層による磁気ファラデー効果の大きさに対応して光のコントラストに変換する．前記磁気記録されたパターンとして文字等を与えれば，文字に対応する光のコントラストとして目視観察可能となる．
【００１６】
該紙媒体代替表示装置では，蓄光機能を有する層に紫外線等によりエネルギーを与えることにより表示装置の光を発生させることができる．該紙媒体代替表示装置では，文字パターン等を表示して使用する状況では，外部からのエネルギーを必要としない．このため，紙を代替する使用方法が可能であり，自由度の大きな紙代替表示装置として使用可能である．
【００１７】
本発明により構成される紙代替表示装置では，表示させる文字パターン等は磁気記録として与えるため，容易に消去，再記録が可能であり，いかなる消去，記録方法を用いても表示することが可能である．記録する一例として，磁気ヘッドモジュールを直列に並べたヘッドアレイを用いて記録することが想定される．本発明により構成される紙代替表示装置では，その記録する方法により制限されるものではなく，いかなる磁気記録技術も利用することが可能である．
【発明を実施するための最良の形態】
【００１８】
以下，添付の図面を参照して，この発明の最良の実施の形態を詳細に説明する．図１は本発明の一実施形態に係わる紙媒体代替表示装置の層構成を示す説明図であって，紙媒体代替表示装置の一断面を示す断面図である．
紙媒体代替表示装置１は，磁気的記録機能を有する層１１，蓄光機能を有する層１３，偏光機能を有する第一の層１４，磁気光学効果機能を有する層１５，偏光機能を有する第２の層１６から構成されている．本最良の構成では，磁気光学効果機能を有する層１５の有する磁気ファラデー機能を用いて機能を構成する．
【００１９】
紙媒体代替表示装置１の機能を，順次図面を参照して説明する．
紙媒体代替表示装置１の初期の状態について説明する．図２に初期の状態において磁気的記録を有する層１１に対して一様に均一に磁化を形成し，初期の状態として設定した状態を示す．
このとき，蓄光機能を有する層１３から発生した光は，偏光機能を有する第１の層１４を通過することにより直線偏光となり，さらに磁気光学効果機能を有する層１５により，前記磁気光学効果機能を有する層１５が磁気的記録を有する層１１に磁気的に記録された磁化から発生する磁界により磁気光学効果，本構成では磁気ファラデー効果を発揮し前記直線偏光の偏光面が一様に回転し，さらに偏光機能を有する第２の層を通過してのち，目視にて観察される．このとき，偏光機能を有する第２の層の偏光面の方向を，磁気光学機能を有する層により回転した偏光の偏光面と一致させておくように形成する．
【００２０】
図３に蓄光機能を有する層１３から発生した光が偏光機能を有する第１の層１４により直線偏光に変換されたときの偏光の方向２５，および磁気光学効果機能を有する層１５により回転した偏光面の方向２６，および偏光機能を有する第２の層による偏光面の方向２７を示した．
図３に示したように，前記構成を本積層体の初期状態として構成しておくことにより，初期状態における蓄光機能を有する層１３から発生した光が，偏光機能を有する第１の層１４，磁気光学効果機能を有する層１５，偏光機能を有する第２の層１６を通過して観察される． 
【００２１】
図４は，紙媒体代替表示装置１の一部分について磁気的記録を有する層１１の磁化を初期の状態とは逆の方向に磁化を形成した状態を示す．
このとき，蓄光機能を有する層１３から発生した光は，偏光機能を有する第１の層１４を通過することにより直線偏光となり，さらに磁気光学効果機能を有する層１５により，前記磁気光学効果機能を有する層１５が磁気的記録を有する層１１に磁気的に記録された磁化から発生する磁界により磁気ファラデー効果を発揮し前記直線偏光の偏光面が一様に回転し，さらに偏光機能を有する第２の層１６を通過してのち，目視にて観察される．
図４に示されるように，磁気的記録機能を有する層の磁化の状態により，磁気光学効果機能を有する層１５による偏光面の回転方向が逆になる．すなわち，図４に示される部分Ａにおいては，磁気光学効果機能を有する層１５による磁気ファラデー効果によって偏光面が回転した結果，偏光面の方向は図３に示されるように偏光機能を有する第２の層１６の偏光面の方向と一致する．しかし，図４部分Ｂにおいては，磁気光学効果機能を有する層１５により偏光面が回転した結果，偏光面の方向は図５に示されるように偏光機能を有する第２の層１６の偏光面の方向と大きく異なる結果となる．
【００２２】
図３および図５に示したように，磁気光学効果機能を有する層１５を通過した偏光の偏光方向と偏光機能を有する第２の層１６の偏光方向との組み合わせにより，図３に示した状態では目視される光は大きな光量を有することが示されるのにたいして，図５に示した状態では目視される光の量は小さな光量となることが示される． 
【００２３】
図２および図３に示したように磁気光学効果機能を有する層１５を通過した光の偏光面と偏光機能を有する第２の層１６の偏光方向が一致する状態，すなわち図４に示された部分Ａと，図４および図５に示したように磁気光学効果機能を有する層１５を通過した光の偏光面と偏光機能を有する第２の層１６の偏光面の方向が異なる状態，すなわち図４に示した部分Ｂとにおいて目視観察される光の量が大きく異なることとなる．この結果，部分Ａと部分Ｂにおいてコントラストを示すこととなる． 
【００２４】
本発明において，請求項２に示されるように光を反射する機能を有する層１２を構成しても，基本的機能に差異は無い．光を反射する機能を有する層１２は，蓄光機能を有する層１３により発生する光をより効率的に利用することを可能とするものであり，実用的には構成の一部として形成することが好ましい．しかし，基本的な機能を構成するものではなく，光を反射する機能を有する層１２の構成は任意である．
【００２５】
前記のように，部分Ａと部分Ｂにおいてコントラストが発生する時に，部分Ｂとして文字や図形等の何らかのパターン状に磁化を形成した場合，このパターンを目視にて明瞭に観察することができる．
前記のように，光を反射する機能を有する層１２は構成の一部に形成されることが好ましいが，任意である．
【００２６】
前記のように本発明による紙媒体代替表示装置は，その積層体をフレキシブルな構成材料により構成することが可能である．例えば，一例として蓄光機能を有する層１３は，畜光材料粒子を有機材料バインダに分散して構成することが可能であり，偏光機能を有する第１の層１４および偏光機能を有する第２の層１６は，一般的なプラスチック材料とヨウ素による偏光フィルム材料などを用いて構成することが可能であり，磁気光学効果機能を有する層１５は，磁気ファラデー機能などの磁気光学効果機能を有する鉄ガーネットなどのセラミック粒子を有機材料バインダに分散して構成することが可能である．
本発明による積層体を構成する各層は，いずれもフレキシブルな構成要素で構成することが可能であり，かつ，塗布技術により安価に大きな面積に工業的に生産することが可能である．
【００２７】
本発明により構成される積層体はフレキシブルかつ薄膜として構成可能であり，概ね総合的に１００マイクロメーター程度の厚さに形成することで機能を発揮しうる．しかし，積層体の厚さや構成する材料等はその構成する材料の特性により変化するものであり本発明の機能を制限するものではない．本発明は，その積層体の構成により光のコントラストを明瞭に示すことができる紙媒体代替表示装置を実現するものであり，その構成する材料により制限されるものでは無い．
【００２８】
また，本発明の紙媒体代替表示装置は，０．５ミリメートル程度の円柱状磁石を用いることにより直接磁気記録機能を有する層１１に磁気記録を行うことが可能である．また，逆の磁化方向すなわち初期状態の磁化方向に磁化を再度記録することもまた可能である．
さらに，垂直磁気記録用磁気ヘッドなどを用いて高速で画像や文字を書き込むことも可能である．
このような簡易的な磁気記録および磁気消去は，紙媒体代替表示装置として必要な随時磁気記録パターンを形成する機能を実現するものであり，紙媒体代替表示装置としての広範囲な利用を可能にするものである．
【００２９】
本発明の紙媒体代替表示装置としての様々な機能は，本発明による積層構成体の構成により実現されるものであり，外部からの継続的なエネルギーを必要としない，消去，再記録等の自由度の大きな紙媒体代替表示装置を提供するものである．
【実施例】
【００３０】
以下に，本発明の実施の一例を示し，本発明の効果を示す．本発明の実施の例として，図６に示したような積層体１００を構成した．
積層体１００は，磁気記録機能を有する層１０１としてバリウムフェライト磁性材料を３０マイクロメートルの厚さに塗布し，構成した．その上にアルミニウム蒸着で光を反射する機能を有する層１０２を０．１マイクロメートルの厚さに形成した．その上に，蓄光セラミックス（ウルトラグローＮＰ２８１０：日亜化学製）をアクリルバインダに分散処理した流体を塗布し，約２０マイクロメートルの蓄光機能を有する層１０３を構成した．その上に厚さ３０マイクロメートルの偏光フィルム（日東電工製）をラミネートし，偏光機能を有する第１の層１０４を構成した．その上にビスマスを置換した鉄ガーネットナノ粒子（ＮＰ０１８，納諾相研究所製）をアクリルバインダに分散処理した分散体（ＮＰ０１８Ｍ，納諾相研究所製）を塗布形成し，約３マイクロメートルの磁気ファラデー機能を有する層１０５を形成した．その上に，厚さ３０マイクロメートルの偏光フィルム（日東電工製）をラミネートし，偏光機能を有する第２の層１０６を構成した．
【００３１】
積層体１００に一様に磁界を印可し，全体を初期状態（状態Ａに相当する）に設定した．この状態で，直径０．５ミリメートルの希土類永久磁石を用いてアルファベットの「Ｔ」字を書き込み，状態Ｂを形成した．
【００３２】
ブラックライトを状態Ａおよび状態Ｂを形成した積層体に対して約１分間照射し，蓄光機能を有する層１０３を励起状態とした．
後にブラックライトを取り去ると，形成した積層体１００の全面から蓄光が観察され，状態Ｂとして形成した部分にアルファベット「Ｔ」が浮かびあがった．この様子をデジタルカメラを用いて接写記録したものを図７に示す．全体に発光する中に，「Ｔ」字が明瞭に観察された．
【００３３】
上記のように，積層体１００を用いて情報パターンの記録および目視での観察ができることを確認した．
本発明は，積層体の構成に関するものであり，それを構成する材料系は制限しない．本発明による積層体を構成するに必要な，本発明に示された特性を持ついかなる材料を用いてもかまわない．本発明は，その構成される材料により制限されるものではなく，積層体の構成により規定されるものである． 
【産業上の利用の可能性】
【００３４】
以上述べたように，この発明によれば，ディスプレイなどの表示装置，及び表示装置に用いる偏光素子に関し、より詳細には、可視光による磁気ファラデー効果などの磁気光学効果を利用して情報を可視化する表示装置に関し、また、磁気ペン等を用いて記録が可能であるディスプレイに関し，自己発光機能を有する紙媒体代替能表示装置を提供するものである．
本発明により，大面積であり薄く安価である紙媒体代替能表示装置を提供することが可能となり，従来のワンウェイ利用が主であった紙媒体に代えて，消去・再記録が可能である紙媒体代替能表示装置を提供することができる． 
【００３５】
本発明により構成した紙媒体代替表示装置は，紙資源の削減を通して環境に優しく環境に体する負荷を低減させる紙媒体代替表示装置を提供するものであり，産業上における大きな利用価値を有するものである．
【図面の簡単な説明】
【００３６】
【図１】本発明の一実施形態に係わる積層体の構成を示す断面図である．
【図２】本発明の一実施形態に係わる積層体の初期状態を説明する積層体の断面を示す断面図である．
【図３】図２における蓄光機能を有する層から発生した光が積層体を通過する時の偏光面の様子を示す説明図である．
【図４】本発明の一実施形態に係わる積層体の記録状態における磁気的記録機能を有する層の磁化の様子と初期状態の磁化の様子を示す積層体の断面を示す説明図である．
【図５】図４における記録状態における蓄光機能を有する層から発生した光が積層体を通過する時の偏光面の様子を示す説明図である．
【図６】本発明の一実施例の積層体の構成を示す積層体の断面を示す説明図である．
【図７】本発明の一実施例の記録を目視観察した状態を示す説明図である．
【符号の説明】
【００３７】
１    積層体
１１  磁気的記録機能を有する層
１２  光を反射する機能を有する層
１３  蓄光機能を有する層
１４  偏光機能を有する第１の層
１５  磁気光学効果機能を有する層
１６  偏光機能を有する第２の層
２０  初期状態の磁化状態
２５  偏光機能を有する第１の層の偏光方向
２６  初期状態の磁気光学効果機能を有する層により回転した偏光の偏光方向
２７  偏光機能を有する第２の層の偏光方向
３０  磁気的記録状態の磁化状態
３５  偏光機能を有する第１の層の偏光方向
３６  磁気的記録部の磁気光学効果機能を有する層により回転した偏光の偏光方向
３７  偏光機能を有する第２の層の偏光方向
１００  一実施例の積層体
１０１  一実施例の磁気的記録機能を有する層
１０２  一実施例の光を反射する機能を有する層
１０３  一実施例の蓄光機能を有する層
１０４  一実施例の偏光機能を有する第１の層
１０５  一実施例の磁気光学効果機能を有する層
１０６  一実施例の偏光機能を有する第２の層
【図１】
2005241803.tif 000003
【図２】
2005241803.tif 000004
【図３】
2005241803.tif 000005
【図４】
2005241803.tif 000006
【図５】
2005241803.tif 000007
【図６】
2005241803.tif 000008
【図７】
2005241803.tif 000009
【手続補正書】
【提出日】平成16年3月15日(2004.3.15)
【手続補正１】
【補正対象書類名】明細書
【補正対象項目名】０００３
【補正方法】変更
【補正の内容】
【０００３】  しかしながら、液晶を用いて所望の文字や図形を表示しようとするためには、所定のセグメント毎に電極を設ける必要があり、製造におけるプロセスが複雑となり，またディスプレイの構造そのものが複雑かつ高価とならざるを得ない．さらに，大きな面積のものを歩留まり良く生産することは極めて困難であるという問題点がある．
さらに、液晶へ電圧印加が必要なことから厚みが数ｍｍと厚くなるのが一般的であり，表示を行うこと自体にもエネルギーが要求される．
また、上記液晶表示以外の表示装置技術としては、特許文献１などに開示された技術があるが、反射光を用いる構成であり十分なコントラストを得ることが難しいことは否めない．
【特許文献１】特開平５−７７５４３号公報（第２項，第３項，図１，図２）
【特許文献２】特開平１０−２１３７８５号公報（第３項から第６項，図１）
【手続補正２】
【補正対象書類名】明細書
【補正対象項目名】００１２
【補正方法】変更
【補正の内容】
【００１２】  請求項４の発明は、請求項１から３に記載された紙媒体代替表示装置であって，前記磁気記録機能を有する層が垂直磁気記録機能を有することを特徴とする請求項１から３記載の紙媒体代替表示装置であって，
前記磁気記録機能を有する層が積層体に対して垂直の方向に磁化容易軸を持つような磁気的記録機能を有することを特徴とし，垂直方向に磁気的に磁化することが安定である特性を有することにより磁気光学コントラストをより明暸に表示することが可能となり，前記文字情報等の磁化パターンを明暸に目視可能とすることができる紙媒体代替表示装置を得ることを可能とする．
【手続補正３】
【補正対象書類名】明細書
【補正対象項目名】００１３
【補正方法】変更
【補正の内容】
【００１３】  請求項５の発明は、請求項１から４に記載された紙媒体代替表示装置であって，前記積層体をもつ前記請求項１から４に記載された紙媒体代替表示装置の表面部分に表面を保護するための保護機能を有する保護層を形成したことを特徴とする紙媒体代替表示装置であって，
前記積層体の表面に保護機能を有する層を設けたことにより本紙媒体代替表示装置の表面を保護し，擦れや引っ掻き等による微細なキズの形成を抑制し，紙媒体代替表示装置の機能を高度に維持することを可能とする紙媒体代替表示装置を得ることを可能とする．